(57)【特許請求の範囲】
【請求項１】
表示装置及び音声入力装置を備え、多数の演奏曲のうちから選択される演奏曲を出力させるカラオケ装置であって、
前記演奏曲の出力に際して、予め定められた複数の画像情報に基づいて、各画像情報に対応するキャラクタ画像を前記表示装置に表示させる画像表示制御手段と、
前記演奏曲の出力に際して、前記音声入力装置から入力される音情報に基づいて、該音情報が予め定められた評価基準を満たすか否かを判定する演奏評価制御手段と、
前記演奏評価制御手段の判定が肯定された場合、前記画像表示制御手段により前記表示装置に表示されている複数の前記キャラクタ画像のうち少なくとも１つのキャラクタ画像を、該キャラクタ画像を記号化した記号画像に変化させる画像変化制御手段と、
前記画像変化制御手段により変化させられた前記記号画像を、前記表示装置における画面の一部に並べて表示させる記号表示制御手段と、
前記演奏曲の出力が終了させられる際、前記画面の一部に並べて表示された前記記号画像を、前記画像変化制御手段による変化前の前記キャラクタ画像に再変化させる画像再変化制御手段と、
前記画像再変化制御手段により再変化させられた単数又は複数の前記キャラクタ画像と、撮像装置により撮影される利用者の像とを、含む記念画像を撮影する記念画像撮影制御手段と
を、備えたことを特徴とするカラオケ装置。
【請求項２】
前記記念画像撮影制御手段は、前記演奏曲の出力中に前記画像変化制御手段により前記記号画像に変化させられた前記キャラクタ画像の数に応じて、前記記念画像の撮影回数を決定するものである
請求項１に記載のカラオケ装置。
【請求項３】
前記記念画像撮影制御手段は、前記演奏曲の出力中に前記画像変化制御手段により前記記号画像に変化させられた前記キャラクタ画像の数に応じて、前記記念画像におけるフレームを変化させるものである
請求項１又は２に記載のカラオケ装置。
【請求項４】
前記記念画像撮影制御手段は、前記演奏曲の出力中に前記画像変化制御手段により前記記号画像に変化させられた前記キャラクタ画像の数に応じて、前記記念画像に含まれる前記キャラクタ画像を選択可能とするものである
請求項１から３の何れか１項に記載のカラオケ装置。
【請求項５】
前記記念画像撮影制御手段は、前記演奏曲の出力中に前記画像変化制御手段により前記記号画像に変化させられた前記キャラクタ画像の数に応じて、前記記念画像に含まれる前記キャラクタ画像を変化させるものである
請求項１から４の何れか１項に記載のカラオケ装置。
【請求項６】
前記演奏評価制御手段は、前記評価基準として、前記音声入力装置から入力される音情報の音量が規定値以上であるか否かを判定するものである
請求項１から５の何れか１項に記載のカラオケ装置。
【請求項７】
前記演奏評価制御手段は、前記評価基準として、前記音声入力装置から入力される音情報の音量が規定値以上であるか否か、及び、前記音声入力装置から入力される音情報に対応する音程が前記演奏曲の音程と適合するか否かを判定するものである
請求項１から５の何れか１項に記載のカラオケ装置。
【請求項８】
前記複数のキャラクタ画像についてそれぞれ異なる前記評価基準が予め定められたものであり、
前記演奏評価制御手段は、前記音声入力装置から入力される音情報に基づいて、前記複数のキャラクタ画像それぞれについて、前記音情報が各キャラクタ画像に対応して予め定められた評価基準を満たすか否かを判定するものである
請求項１から７の何れか１項に記載のカラオケ装置。
【請求項９】
表示装置及び音声入力装置を備え、多数の演奏曲のうちから選択される演奏曲を出力させるカラオケ装置に備えられたコンピュータを、
前記演奏曲の出力に際して、予め定められた複数の画像情報に基づいて、各画像情報に対応するキャラクタ画像を前記表示装置に表示させる画像表示制御手段、
前記演奏曲の出力に際して、前記音声入力装置から入力される音情報に基づいて、該音情報が予め定められた評価基準を満たすか否かを判定する演奏評価制御手段、
前記演奏評価制御手段の判定が肯定された場合、前記画像表示制御手段により前記表示装置に表示されている複数の前記キャラクタ画像のうち少なくとも１つのキャラクタ画像を、該キャラクタ画像を記号化した記号画像に変化させる画像変化制御手段、
前記画像変化制御手段により変化させられた前記記号画像を、前記表示装置における画面の一部に並べて表示させる記号表示制御手段と、
前記演奏曲の出力が終了させられる際、前記画面の一部に並べて表示された前記記号画像を、前記画像変化制御手段による変化前の前記キャラクタ画像に再変化させる画像再変化制御手段、
及び、前記画像再変化制御手段により再変化させられた単数又は複数の前記キャラクタ画像と、撮像装置により撮影される利用者の像とを、含む記念画像を撮影する記念画像撮影制御手段
として機能させることを特徴とするプログラム。
【発明の詳細な説明】
【技術分野】
【０００１】
本発明は、多数の演奏曲のうちから選択される演奏曲を出力させるカラオケ装置及びプログラムに関し、特に、年少の子供にとって目新しくやりがいのある演奏評価を実現するための改良に関する。
【背景技術】
【０００２】
多数の演奏曲のうちから選択される演奏曲を出力させる音楽再生装置が知られている。例えば、カラオケボックス等で使用されるカラオケ装置がそれである。斯かるカラオケ装置によれば、予め記憶装置に記憶された多数のカラオケ演奏曲から選択されたカラオケ演奏曲の音楽情報を出力させると共に、そのカラオケ演奏曲の歌詞情報を含む映像をその出力に同期して画面に表示させることで、所望の歌のカラオケ演奏を楽しむことができる。
【０００３】
ところで、近年普及しているカラオケ装置には、上述のような音楽再生装置としての機能のみならず、音声入力装置（マイクロフォン）から入力される音声情報に基づいて歌唱力等を評価（採点）する演奏評価機能を備えたものがある。例えば、特許文献１に記載された評価装置がその一例である。この技術によれば、音声入力装置から入力される音声情報に基づいて歌唱者の歌唱を評価し、その評価結果に応じてキャラクタ画像の表情を変化させることで、歌唱者の歌唱音声が基準に沿っているか否かを、前記キャラクタ画像の表情でわかりやすく表示させることができるとされている。
【先行技術文献】
【特許文献】
【０００４】
【特許文献１】特開２０１２−１９４２４１号公報
【発明の概要】
【発明が解決しようとする課題】
【０００５】
しかし、前記従来の技術は、歌唱者の歌唱音声が基準に沿っているか否かを、単純にキャラクタ画像の表情に反映させるものに過ぎず、利用者にとって特に目新しいものではなかった。とりわけ、小学生やそれ以下といった年少の子供の興味関心をひくことは、前記従来の技術では困難であった。本発明者等は、斯かる年少の子供にとって、視覚的な面白さが特に重要であることに鑑み、年少の子供が楽しめるカラオケ演奏評価を実現すべく鋭意研究を継続した一結果として、本発明を為すに至った。
【０００６】
本発明は、以上の事情を背景として為されたものであり、その目的とするところは、年少の子供にとって楽しくやりがいのある演奏評価を実現するカラオケ装置及びプログラムを提供することにある。
【課題を解決するための手段】
【０００７】
斯かる目的を達成するために、本第１発明の要旨とするところは、表示装置及び音声入力装置を備え、多数の演奏曲のうちから選択される演奏曲を出力させるカラオケ装置であって、前記演奏曲の出力に際して、予め定められた複数の画像情報に基づいて、各画像情報に対応するキャラクタ画像を前記表示装置に表示させる画像表示制御手段と、前記演奏曲の出力に際して、前記音声入力装置から入力される音情報に基づいて、その音情報が予め定められた評価基準を満たすか否かを判定する演奏評価制御手段と、前記演奏評価制御手段の判定が肯定された場合、前記画像表示制御手段により前記表示装置に表示されている複数の前記キャラクタ画像のうち少なくとも１つのキャラクタ画像を、そのキャラクタ画像を記号化した記号画像に変化させる画像変化制御手段と、前記画像変化制御手段により変化させられた前記記号画像を、前記表示装置における画面の一部に並べて表示させる記号表示制御手段と、前記演奏曲の出力が終了させられる際、前記画面の一部に並べて表示された前記記号画像を、前記画像変化制御手段による変化前の前記キャラクタ画像に再変化させる画像再変化制御手段と、前記画像再変化制御手段により再変化させられた単数又は複数の前記キャラクタ画像と、撮像装置により撮影される利用者の像とを、含む記念画像を撮影する記念画像撮影制御手段とを、備えたことを特徴とするものである。
【０００８】
前記目的を達成するために、本第２発明の要旨とするところは、表示装置及び音声入力装置を備え、多数の演奏曲のうちから選択される演奏曲を出力させるカラオケ装置に備えられたコンピュータを、前記演奏曲の出力に際して、予め定められた複数の画像情報に基づいて、各画像情報に対応するキャラクタ画像を前記表示装置に表示させる画像表示制御手段、前記演奏曲の出力に際して、前記音声入力装置から入力される音情報に基づいて、その音情報が予め定められた評価基準を満たすか否かを判定する演奏評価制御手段、前記演奏評価制御手段の判定が肯定された場合、前記画像表示制御手段により前記表示装置に表示されている複数の前記キャラクタ画像のうち少なくとも１つのキャラクタ画像を、そのキャラクタ画像を記号化した記号画像に変化させる画像変化制御手段、前記画像変化制御手段により変化させられた前記記号画像を、前記表示装置における画面の一部に並べて表示させる記号表示制御手段と、前記演奏曲の出力が終了させられる際、前記画面の一部に並べて表示された前記記号画像を、前記画像変化制御手段による変化前の前記キャラクタ画像に再変化させる画像再変化制御手段、及び、前記画像再変化制御手段により再変化させられた単数又は複数の前記キャラクタ画像と、撮像装置により撮影される利用者の像とを、含む記念画像を撮影する記念画像撮影制御手段として機能させることを特徴とするプログラムである。
【発明の効果】
【０００９】
前記第１発明によれば、表示装置の画面内に多様なキャラクタ画像を表示させると共に、カラオケ演奏の評価結果に応じてそのキャラクタ画像を記号化し、画面の一部に並べて表示させることで、あたかもそのキャラクタ画像に対応するキャラクタを獲得したような印象を与えることができ、年少の子供にやる気を持たせることができる。これに加え、演奏終了後に、記号化した画像を再度キャラクタ画像に戻して、それらのキャラクタ画像と一緒に記念画像を撮影することで、あたかも自分が獲得したキャラクタ達と一緒に記念撮影しているかのような印象を与えることができ、子供のやる気を更に掻き立てることができる。すなわち、年少の子供にとって楽しくやりがいのある演奏評価を実現するカラオケ装置を提供することができる。
【００１０】
前記第１発明において、好適には、前記記念画像撮影制御手段は、前記演奏曲の出力中に前記画像変化制御手段により前記記号画像に変化させられた前記キャラクタ画像の数に応じて、前記記念画像の撮影回数を決定するものである。このようにすれば、例えば獲得したキャラクタが多いほど、多くの回数記念撮影ができるといった印象を与えることができ、子供のやる気を更に掻き立てることができる。
【００１１】
好適には、前記記念画像撮影制御手段は、前記演奏曲の出力中に前記画像変化制御手段により前記記号画像に変化させられた前記キャラクタ画像の数に応じて、前記記念画像におけるフレームを変化させるものである。このようにすれば、例えば獲得したキャラクタが多いほど、豪華なフレームで記念撮影ができるといった印象を与えることができ、子供のやる気を更に掻き立てることができる。
【００１２】
好適には、前記記念画像撮影制御手段は、前記演奏曲の出力中に前記画像変化制御手段により前記記号画像に変化させられた前記キャラクタ画像の数に応じて、前記記念画像に含まれる前記キャラクタ画像を選択可能とするものである。このようにすれば、例えば獲得したキャラクタが多いほど、自分の好きなキャラクタと一緒に記念撮影ができるといった印象を与えることができ、子供のやる気を更に掻き立てることができる。
【００１３】
好適には、前記記念画像撮影制御手段は、前記演奏曲の出力中に前記画像変化制御手段により前記記号画像に変化させられた前記キャラクタ画像の数に応じて、前記記念画像に含まれる前記キャラクタ画像を変化させるものである。このようにすれば、例えば獲得したキャラクタが多い場合には、獲得したキャラクタ同士を合体させて別のキャラクタにできるといった印象を与えることができ、子供のやる気を更に掻き立てることができる。
【００１４】
好適には、前記演奏評価制御手段は、前記評価基準として、前記音声入力装置から入力される音情報の音量が規定値以上であるか否かを判定するものである。このようにすれば、大きな声が出せているかどうかを評価基準とすることで、例えば小学生未満の音がうまくとれない年少の子供にも楽しめる演奏評価を実現することができる。
【００１５】
好適には、前記演奏評価制御手段は、前記評価基準として、前記音声入力装置から入力される音情報の音量が規定値以上であるか否か、及び、前記音声入力装置から入力される音情報に対応する音程が前記演奏曲の音程と適合するか否かを判定するものである。このようにすれば、大きな声が出せているかどうかに加えて、演奏曲と音程が合っているかどうかを評価基準とすることで、例えば小学生以上の子供にも満足できる演奏評価を実現することができる。
【００１６】
好適には、前記複数のキャラクタ画像についてそれぞれ異なる前記評価基準が予め定められたものであり、前記演奏評価制御手段は、前記音声入力装置から入力される音情報に基づいて、前記複数のキャラクタ画像それぞれについて、前記音情報が各キャラクタ画像に対応して予め定められた評価基準を満たすか否かを判定するものである。このようにすれば、前記キャラクタ画像毎に評価基準に変化をつけることで、例えば獲得しやすいキャラクタと獲得が難しいキャラクタとを定めることができ、攻略性を高めて子供のやる気を更に掻き立てることができる。
【００１７】
前記第２発明によれば、表示装置の画面内に多様なキャラクタ画像を表示させると共に、カラオケ演奏の評価結果に応じてそのキャラクタ画像を記号化し、画面の一部に並べて表示させることで、あたかもそのキャラクタ画像に対応するキャラクタを獲得したような印象を与えることができ、年少の子供にやる気を持たせることができる。これに加え、演奏終了後に、記号化した画像を再度キャラクタ画像に戻して、それらのキャラクタ画像と一緒に記念画像を撮影することで、あたかも自分が獲得したキャラクタ達と一緒に記念撮影しているかのような印象を与えることができ、子供のやる気を更に掻き立てることができる。すなわち、年少の子供にとって楽しくやりがいのある演奏評価を実現するプログラムを提供することができる。
【図面の簡単な説明】
【００１８】
【図１】本発明の好適な実施例であるカラオケ装置の構成を例示するブロック線図である。
【図２】図１に示すカラオケ装置のＣＰＵに備えられた制御機能の一例の要部を説明する機能ブロック線図である。
【図３】図１に示すカラオケ装置のＣＰＵによる演奏評価制御に際して、ディスプレイに表示される演奏評価画面を例示する図である。
【図４】図３に示す演奏評価画面に表示されるキャラクタ画像の具体例を説明する図である。
【図５】図３に示す演奏評価画面に表示されていた所定のキャラクタ画像がカード画像に変化させられた様子を示している。
【図６】図１に示すカラオケ装置のＣＰＵによる演奏評価制御が終了させられた際における演奏評価画面を例示する図である。
【図７】図１に示すカラオケ装置のＣＰＵにより撮影される記念画像を例示する図である。
【図８】図１に示すカラオケ装置のＣＰＵによりキャラクタ画像同士が合体させられた記念画像を例示する図である。
【図９】図１に示すカラオケ装置のＣＰＵによる本実施例の演奏評価制御の一例の要部を説明するフローチャートである。
【発明を実施するための形態】
【００１９】
以下、本発明の好適な実施例を図面に基づいて詳細に説明する。
【実施例】
【００２０】
図１は、本発明の好適な実施例であるカラオケ装置１０の構成を例示するブロック線図である。この図１に示すように、本実施例のカラオケ装置１０は、中央演算処理装置であるＣＰＵ１２と、読出専用メモリであるＲＯＭ１４と、随時書込読出メモリであるＲＡＭ１６と、記憶装置であるハードディスク１８と、グラフィックスチップ（グラフィックスボード）等の映像処理部２０と、サウンドチップ（サウンドボード）等の音声処理部２２と、操作パネル２４と、表示制御部２６及び入力制御部２８を介して前記ＣＰＵ１２に接続されたタッチパネルディスプレイ３０と、通信インターフェイス３６と、ＬＡＮインターフェイス３８と、無線通信部４０と、ビデオ出力端子４２を介して前記映像処理部２０に接続された映像表示装置であるディスプレイ４４と、オーディオ入力端子４６を介して前記音声処理部２２に接続された音声入力装置であるマイクロフォン４８と、オーディオ出力端子５０を介して前記音声処理部２２に接続された音声増幅装置であるアンプ５２と、そのアンプ５２に備えられた音声出力装置であるスピーカ５４と、接続端子７２を介して接続された撮像装置であるデジタルカメラ７０とを、備えて構成されている。
【００２１】
前記ＣＰＵ１２は、前記ＲＡＭ１６の一時記憶機能を利用しつつ前記ＲＯＭ１４に予め記憶された所定のプログラムに基づいて電子情報を処理・制御する所謂マイクロコンピュータであり、前記カラオケ装置１０における各種制御を実行する。すなわち、前記操作パネル２４、タッチパネルディスプレイ３０、或いは電子早見本装置６８等により所定の楽曲（カラオケ演奏曲）が選曲入力された場合、その選曲入力された楽曲を前記ＲＡＭ１６等に設けられた予約曲テーブルに登録する選曲予約制御、その予約曲テーブルの演奏順に従って前記ハードディスク１８から前記ＲＡＭ１６に選曲されたカラオケ演奏曲の演奏情報及び歌詞情報（楽曲情報）を読み出す楽曲情報読出制御、楽曲の演奏進行に応じてそのＲＡＭ１６から前記音声処理部２２へ演奏情報を送信する演奏出力制御、その演奏出力制御に際して前記ＲＡＭ１６に展開された歌詞情報に基づいて歌詞文字映像を生成して前記映像処理部２０へ送信する歌詞文字映像出力制御、前記演奏出力制御に際して前記映像処理部２０を制御して所定の背景映像を再生させる背景映像出力制御、及びカラオケ演奏が行われていない間すなわち曲間において、新譜情報、選曲ランキング、店舗広告等の曲間情報を出力させる曲間情報出力制御等の基本的な制御に加え、後述する本実施例の演奏評価制御等の各種制御を実行する。本実施例においては、前記ＣＰＵ１２が前記カラオケ装置１０のコンピュータに対応する。
【００２２】
前記映像処理部２０は、前記ディスプレイ４４に表示される画面（映像）の描画に係る各種制御を行う。例えば、前記ＣＰＵ１２から供給されるデータに基づいてグラフィックスメモリにそのデータを書き込み、そのデータを読み出すことによって前記ビデオ出力端子４２を介して前記ディスプレイ４４に所定の画面を表示させる制御を行う。具体的には、前記カラオケ装置１０による楽曲の演奏出力（カラオケ演奏）に際して、前記ＣＰＵ１２において生成された歌詞文字映像等の文字映像（テロップ）を出力させたり、前記ハードディスク１８に記憶されたＭＰＥＧ（Moving Picture Experts Group）データ等の背景映像情報に基づいて所定の背景映像を再生（デコード）させたり、その背景映像の前面側に前記歌詞文字映像を合成させて前記ディスプレイ４４に表示させたり、その歌詞文字映像を前記楽曲の演奏進行に応じて順次色替わり表示させる等の各種表示制御を行う。
【００２３】
前記音声処理部２２は、ＦＭ音源やＰＣＭ音源等の各種音源を備え、前記カラオケ装置１０による音声出力に係る各種制御を行う。好適には、電子回路により音を合成し、各種音色を発生させるシンセサイザ（synthesizer）を備えている。このシンセサイザは、前記ハードディスク１８から読み出されて送られて来るカラオケ演奏曲の演奏情報に基づいて楽器の演奏信号等の音楽信号を生成する。前記シンセサイザは、好適には、ＭＩＤＩ（Musical Instrument Digital Interface）端子を備えたものであり、前記演奏情報は、例えばＭＩＤＩ形式のデータである。そのＭＩＤＩデータに基づいて前記シンセサイザにより生成された音楽信号は、前記マイクロフォン４８から前記オーディオ入力端子４６を介して入力される利用者（演奏者）の歌声とミキシングされ、前記オーディオ出力端子５０を介して前記アンプ５２に供給されてそのアンプ５２により増幅されて前記スピーカ５４から出力される。
【００２４】
前記操作パネル２４は、前記カラオケ装置１０の利用者が歌いたい楽曲を選択したり、楽曲の演奏出力に係る音程を調整したり、演奏と歌との音量バランスを調整したり、その他、エコー、音量、トーン等の各種調整を行うための操作ボタン（スイッチ）或いはつまみを備えた入力装置である。また、前記タッチパネルディスプレイ３０は、画像（映像）を表示させると共に利用者の操作に応じて前記カラオケ装置１０への操作入力を行う装置であり、そのタッチパネルディスプレイ３０に所定の画像（映像）を表示させる表示装置３２と、利用者の指や図示しない備え付けのペン等による前記タッチパネルディスプレイ３０への接触により入力を行うタッチパネル３４とを、備えている。前記表示制御部２６は、前記ＣＰＵ１２から供給される情報に基づいて前記表示装置３２に表示される画面（映像）の描画を制御する映像処理部である。前記入力制御部２８は、前記タッチパネル３４により入力される操作入力情報を前記ＣＰＵ１２等に供給する入力処理部である。以上の構成を備えていることで、前記タッチパネルディスプレイ３０は、前記ディスプレイ４４とは別に第２の映像表示装置として機能すると共に、前記カラオケ装置１０の利用者が歌いたい楽曲を選択したり、楽曲の演奏出力に係る音程を調整したり、演奏と歌との音量バランスを調整したり、その他、エコー、音量、トーン等の各種調整を行うための入力装置として機能する。
【００２５】
前記カラオケ装置１０は、前記通信インターフェイス３６及びネットワーク接続端子５６を介して通信回線６０に接続されている。前記通信回線６０は、例えば公衆電話回線、ＡＤＳＬ回線、或いは光ファイバ回線等から構成されるＷＷＷ（World Wide Web）等のインターネットに接続された広域情報通信網である。前記カラオケ装置１０は、同様にその通信回線６０に接続された他の機器との相互間でその通信回線６０を介して情報の通信が可能とされている。前記カラオケ装置１０は、好適には、前記通信回線６０を介して図示しないサーバ（ホスト装置）に接続されており、そのサーバから楽曲情報（カラオケデータ）、背景映像情報、及び曲間情報等のデジタルコンテンツ（Digital Contents）の配信を受け付けるものである。すなわち、前記カラオケ装置１０は、好適には、所定の通信回線に接続されてサーバとの間で各種情報の送受信を行う通信カラオケ装置であるが、斯かる通信回線に接続されない非通信型のカラオケ装置等にも本発明は好適に適用される。
【００２６】
前記ＬＡＮインターフェイス３８は、前記カラオケ装置１０をＬＡＮ接続端子６２を介してＬＡＮ（local area network）６４に接続するための接続器であり、そのように前記ＬＡＮ６４に接続されることで、前記カラオケ装置１０は、同様に前記ＬＡＮ６４に接続された電子早見本装置６８等の他の機器との間で情報の送受信が可能とされる。また、前記カラオケ装置１０が設置される店舗等に複数台のカラオケ装置が備えられている場合において、同様に前記ＬＡＮ６４に接続されたカラオケ装置相互間において情報の送受信が可能とされる。例えば、前記ＬＡＮ６４に接続されたアクセスポイント６６を介して受信される電子早見本装置６８からの選曲入力を受け付けて前記ＲＡＭ１６に設けられた予約曲テーブルに記憶したり、そのアクセスポイント６６を介して前記カラオケ装置１０から電子早見本装置６８へ所定の情報を送信したりというように、電波を介して前記カラオケ装置１０と電子早見本装置６８との間における相互の情報のやりとりが実行される。
【００２７】
前記無線通信部４０は、前記カラオケ装置１０と前記電子早見本装置６８等の入力装置との間の無線通信を行う。例えば、前記電子早見本装置６８等の入力装置から送信されるリモコン信号を受信するリモコン受信部として機能する。前記カラオケ装置１０と電子早見本装置６８との対応付け（くくりつけ）処理は、好適には、斯かるリモコン信号（赤外線信号）により前記無線通信部４０を介して行われる。すなわち、前記電子早見本装置６８は、それぞれ個別のシリアル番号を有しており、前記対応付け処理においては、例えばそのシリアル番号（例えば、下４桁）及び所定の接続コードを含む信号が接続通知として前記カラオケ装置１０へ送信され、前記無線通信部４０によりその接続信号を受信したカラオケ装置１０に対して前記電子早見本装置６８が対応付けられる。そのようにして前記カラオケ装置１０に対応付けられた電子早見本装置６８は、そのカラオケ装置１０の入力装置（遠隔操作装置）として機能し、その電子早見本装置６８から送信される信号が前記ＣＰＵ１２に供給されることで、前記カラオケ装置１０の利用者が歌いたい楽曲を選択したり、楽曲の演奏出力に係る音程を調整したり、演奏と歌との音量バランスを調整したり、その他、エコー、音量、トーン等の各種調整を行うための入力が受け付けられるようになっている。なお、前記対応付け処理が行われた後、前記電子早見本装置６８と前記カラオケ装置１０との間の通信は、前記ＬＡＮ６４及びアクセスポイント６６等を介したＬＡＮ通信により行われる。また、本実施例においては、前記カラオケ装置１０に対応付け処理の行われた電子早見本装置６８等の入力装置もそのカラオケ装置１０の一部を構成するものであるとして以下の説明を行う。
【００２８】
前記デジタルカメラ７０は、例えばＣＣＤ（charge coupled device）等の撮像素子及びレンズを備え、そのレンズから入射される映像を撮像素子により検知し、その映像を電子情報（映像データ）として取得する所謂デジタルビデオカメラであり、少なくとも動画（時間の経過に従い変化する動きのある映像）を撮影し得るものであるが、必要に応じて静止画（スチル写真）を撮影できるように構成されたものであってもよい。このデジタルカメラ７０により撮影された映像情報は、前記接続端子７２等のインターフェイスを介して前記ＣＰＵ１２等へ供給され、例えばＡＶＩ（Audio-Video Interleaved）形式、ＭＰＥＧ（Moving Picture Experts Group）形式、ＦＬＶ（Flash Video）形式等の映像ファイルとして前記ＲＡＭ１６等に記憶される。前記デジタルカメラ７０は、必ずしも前記カラオケ装置１０の一部として備えられたものでなくともよく、例えば前記カラオケ装置１０が設置された室における所定位置に固設された別体のビデオカメラ乃至前記携帯電話機８２等に備えられた撮像装置等により撮影された映像が所定のインターフェイスを介して前記カラオケ装置１０に入力される態様も考えられる。
【００２９】
前記ハードディスク１８には、楽曲データベース７４及び画像データベース７６（図２を参照）をはじめとする各種データベースが設けられている。前記楽曲データベース７４は、前記カラオケ装置１０により前記楽曲の演奏出力（カラオケ演奏）を行うための多数（例えば、数万曲）の楽曲情報（カラオケデータ）を記憶する。前記カラオケ装置１０において出力される各楽曲に対応して前記楽曲データベース７４に記憶された楽曲情報は、例えば、メタデータ、演奏情報としてのＭＩＤＩデータ、及び歌詞情報としてのテロップデータを含んでいる。このメタデータは、例えば、各楽曲情報の識別情報としての曲番号（選曲番号）、曲名、歌手名、登録日時等の情報を含んでいる。前記テロップデータは、前記映像処理部２０を介して各楽曲の歌詞文字映像表示制御を行うための情報であり、例えば、前記楽曲情報に対応する楽曲（演奏曲）の歌詞を複数に区分した各区分に相当するブロックデータを含んでいる。前記ＭＩＤＩデータは、前記音声処理部２２を介して各楽曲の演奏出力制御を行うための情報であり、複数種類の楽器にそれぞれ対応する複数のトラック（チャンネル）を備え、各トラックにおいて対応する楽器の演奏音の出力タイミングが定められている。
【００３０】
前記画像データベース７６は、後述する本実施例の演奏評価制御に際して、前記ディスプレイ４４にその演奏評価制御に係る各種画像（映像）を表示させるための複数の画像情報を記憶する。少なくとも、前記ディスプレイ４４に複数のキャラクタ画像を表示させるための画像情報であるキャラクタ画像情報と、各キャラクタ画像に対応する記号画像を表示させるための画像情報である記号画像情報とを、記憶する。これらの画像情報の詳細については、本実施例の演奏評価制御の説明と併せ、図３〜図８等を用いて詳述する。
【００３１】
図２は、前記カラオケ装置１０のＣＰＵ１２に備えられた制御機能の一例の要部を説明する機能ブロック線図である。換言すれば、本発明の一実施例であるプログラムにより、前記ＣＰＵ１２が図２に示す各制御手段として機能させられる。この図２に示すカラオケ演奏制御手段８０は、前記カラオケ装置１０によるカラオケ演奏に際しての演奏曲の出力を制御する。具体的には、前記ＲＡＭ１６等の予約曲テーブルにおける上位の予約曲から順に（すなわち入力順に）、その予約曲テーブルに記憶された予約曲の選曲番号に対応する楽曲情報を前記ハードディスク１８の楽曲データベース７４から読み出し、その楽曲情報に含まれる演奏情報に基づいて演奏曲の出力を制御する。すなわち、演奏情報としてのＭＩＤＩデータに基づいて、前記音声処理部２２によりそのＭＩＤＩデータにおける楽譜情報としてのトラック乃至チャンネルに対応する楽器の演奏音（音楽情報）を出力させ、前記アンプ５２等を介して前記スピーカ５４から出力させる。また、楽曲情報に含まれる歌詞情報に基づいて演奏曲に係る歌詞文字映像の出力を制御する。すなわち、歌詞情報に基づいて歌詞文字映像を生成し、前記映像処理部２０を介してその歌詞文字映像を前記ディスプレイ４４に表示させる。カラオケ演奏の進行に伴い、その歌詞文字映像を切替表示させると共に、歌詞色替情報に基づいて歌詞文字映像を順次色替え表示させる。
【００３２】
演奏評価制御手段８２は、評価対象となる演奏曲の出力と併行して音声入力装置である前記マイクロフォン４８から入力される音情報（音声情報）に基づいて、その音情報の入力主体である利用者の演奏評価（歌唱評価）を行う。すなわち、前記マイクロフォン４８から入力される音情報が、予め定められた評価基準を満たすか否かを判定する。斯かる判定は、好適には、前記演奏曲の演奏進行に伴い所定時間（例えば、２０秒）毎に実行される。更に好適には、前記演奏曲の出力が終了する際に、その演奏曲１曲の演奏を通しての演奏評価を算出する。この演奏評価の態様としては、例えば、百点満点中何点というように数値的に採点を行うものであってもよいし、２０段階評定の何れに当てはまるかを判定するというように簡易なものであってもよい。
【００３３】
前記演奏評価制御手段８２は、好適には、前記評価基準として、前記マイクロフォン４８から入力される音情報の音量が規定値以上であるか否かを判定する。この判定は、好適には、３歳以上６歳未満といった比較的年少の子供を対象に実行される。具体的には、所定の演奏曲の出力に際して、前記音声処理部２２を介して出力されるその演奏曲のピッチ（音程）及びテンポ等は前記評価基準とはせず、専ら前記マイクロフォン４８から入力される音情報の音量が規定値以上であるか否かを判定する。例えば、所定の演奏曲の出力に際して、前記マイクロフォン４８から規定音量以上の音情報が入力されているか否かを所定の周期で判定し、規定音量以上の音情報が入力されていると判定された場合には加点を行う。規定音量以上の音情報が入力されていないと判定された場合には加点を行わない。或いは、減点を行うものであってもよい。
【００３４】
前記演奏評価制御手段８２は、好適には、前記評価基準として、前記マイクロフォン４８から入力される音情報の音量が規定値以上であるか否か、及び、前記マイクロフォン４８から入力される音情報に対応する音程が前記演奏曲の音程と適合するか否かを判定する。この判定は、好適には、６歳以上１２歳未満といった小学生程度の子供を対象に実行される。具体的には、所定の演奏曲の出力に際して、前記マイクロフォン４８により入力される音情報のピッチ（音程）及びテンポが、前記音声処理部２２を介して出力される前記演奏曲のピッチ及びテンポと一致するか否か、及び、前記マイクロフォン４８から入力される音情報の音量が規定値以上であるか否かを判定する。例えば、所定の演奏曲の出力に際して、所定の周期で斯かる判定を行い、規定値以上の音情報が入力されており且つその音情報に対応する音程が前記演奏曲の音程と適合する場合には加点を行う。規定値以上の音情報が入力されていない場合、或いはその音情報に対応する音程が前記演奏曲の音程と適合しない場合には加点を行わない。或いは、減点を行うものであってもよい。
【００３５】
好適には、前記画像データベース７６に記憶された前記複数のキャラクタ画像情報それぞれに対応するキャラクタ画像について、それぞれ異なる前記評価基準が予め定められている。例えば、第１のキャラクタ画像については、前記マイクロフォン４８から入力される音情報の音量が規定値以上であるか否かが前記評価基準として定められている。第２のキャラクタ画像については、前記マイクロフォン４８から入力される音情報に対応する音程が前記演奏曲の音程と適合するか否かが前記評価基準として定められている。第３のキャラクタ画像については、前記マイクロフォン４８から入力される音情報の音量が規定値以上であり且つその音情報に対応する音程が前記演奏曲の音程と適合するか否かが前記評価基準として定められている。前記演奏評価制御手段８２は、好適には、前記マイクロフォン４８から入力される音情報に基づいて、前記複数のキャラクタ画像それぞれについて、前記音情報が各キャラクタ画像に対応して予め定められた評価基準を満たすか否かを判定する。
【００３６】
顔認識制御手段８４は、よく知られた顔認識技術により、前記デジタルカメラ７０により撮影される撮像における人物の顔認識（face recognition）を行う。すなわち、予め定められた関係（例えば、人物の顔における眉毛、目、鼻、及び口等の配置の典型的なパターンを定義する関係）から、前記デジタルカメラ７０により撮影される撮像における明度、彩度、及び色相等に基づいて、その撮像中における人物の顔に相当する部分（部分映像）を認識する。
【００３７】
画像表示制御手段８６は、前記演奏曲の出力に際して、前記画像データベース７６に記憶された複数のキャラクタ画像情報に基づいて、各キャラクタ画像情報に対応するキャラクタ画像を前記ディスプレイ４４に表示させる。具体的には、前記カラオケ演奏制御手段８０による前記演奏曲の出力と併行して行われる前記演奏評価制御手段８２による演奏評価制御に際して、前記画像データベース７６に記憶された複数のキャラクタ画像情報に基づいて、各キャラクタ画像情報に対応するキャラクタ画像を前記ディスプレイ４４に表示させる。例えば、前記画像データベース７６に記憶された複数のキャラクタ画像情報を読み出し、各キャラクタ画像情報に対応するキャラクタ画像を前記ディスプレイ４４に表示させる。所定時間（例えば、２０秒）毎に１つずつのキャラクタ画像情報を前記画像データベース７６から読み出し、そのキャラクタ画像情報に対応するキャラクタ画像を前記ディスプレイ４４に新たに表示させる。この新たに表示されるキャラクタ画像情報（キャラクタ画像）は、前記画像データベース７６に記憶された複数のキャラクタ画像情報から無作為（ランダム）に選択されるものであってもよいし、予め表示順が決められており、その表示順にキャラクタ画像情報が読み出されて表示されるものであってもよい。前記演奏評価制御手段８２によるその時点での演奏評価結果（点数）に応じて、新たに表示させるキャラクタ画像を決定するものであってもよい。
【００３８】
図３は、前記演奏評価制御手段８２による演奏評価制御に際して、前記ディスプレイ４４に表示される演奏評価画面１００を例示する図である。前記演奏評価制御手段８２による演奏評価制御に際して、好適には、前記デジタルカメラ７０により撮影される利用者（歌唱者）の映像１０２が前記ディスプレイ４４に表示される。
【００３９】
図４は、前記演奏評価画面１００に表示されるキャラクタ画像の具体例を説明する図である。図４においては、前記利用者の映像１０２に対して、複数（図４では４つ）のキャラクタ画像１０６ａ、１０６ｂ、１０６ｃ、１０６ｄ（以下、特に区別しない場合には単にキャラクタ画像１０６という）が合成表示された画面を例示している。前述のように、前記画像表示制御手段８６は、所定時間毎に１つずつのキャラクタ画像情報を前記画像データベース７６から読み出し、そのキャラクタ画像情報に対応するキャラクタ画像１０６を前記演奏評価画面１００に新たに表示させる。好適には、前記演奏評価画面１００に表示されたキャラクタ画像１０６は、後述する画像変化制御手段８８により記号画像に変化させられない限り、前記演奏評価画面１００内に表示され続ける。前記カラオケ演奏制御手段８０は、好適には、図４に示すように、前記演奏評価画面１００内に前記演奏曲の歌詞文字映像１０８を表示させる。好適には、前記利用者の映像１０２及び前記キャラクタ画像１０６の前面側に、前記演奏曲の歌詞文字映像１０８を合成表示させる。更に、前記演奏曲の進行に伴い、前記歌詞文字映像１０８を切替表示させると共に、歌詞色替情報に基づいて前記歌詞文字映像１０８を順次色替え表示させる。
【００４０】
前記画像表示制御手段８６は、好適には、前記演奏評価画面１００における前記利用者の映像１０２に関して前記顔認識制御手段８４により認識された利用者の顔に相当する部分に基づいて、前記複数のキャラクタ画像１０６を移動させる表示制御を行う。具体的には、前記演奏評価画面１００内に表示させた前記複数のキャラクタ画像１０６が、前記顔認識制御手段８４により認識された利用者の顔に相当する部分に接近するように、その顔に相当する部分へ向かって前記複数のキャラクタ画像１０６を移動させる表示制御を行う。或いは、前記複数のキャラクタ画像１０６を、前記顔認識制御手段８４により認識された利用者の顔に相当する部分から離れるように移動させる表示制御を行うものであってもよい。好適には、前記キャラクタ画像１０６ａはジグザグに移動、前記キャラクタ画像１０６ｂは螺旋を描きつつ移動といったように、前記複数のキャラクタ画像１０６毎に前記演奏評価画面１００内における移動態様が予め定められており、前記画像表示制御手段８６は、その移動態様に従って前記複数のキャラクタ画像１０６をそれぞれ移動させる表示制御を行う。好適には、前記キャラクタ画像１０６ａは利用者の顔付近に近づいた段階で上限反転し利用者の首にぶら下がるアクションをとる、前記キャラクタ画像１０６ｂは利用者の顔付近に近づいた段階で利用者の頭に相当する位置に移動し、その利用者が帽子形の前記キャラクタ画像１０６ｂを被るようなアクションをとるといったように、各キャラクタ画像１０６がとるアクションに対応するアクション情報が前記複数のキャラクタ画像１０６毎に予め定められており、前記画像表示制御手段８６は、そのアクション情報に従って前記複数のキャラクタ画像１０６をそれぞれ移動させる表示制御を行う。
【００４１】
画像変化制御手段８８は、前記演奏評価制御手段８２の判定が肯定された場合、前記画像表示制御手段８６により前記演奏評価画面１００に表示されている複数の前記キャラクタ画像１０６のうち少なくとも１つのキャラクタ画像１０６を、そのキャラクタ画像１０６を記号化した記号画像に変化させる。ここで、記号画像とは、各キャラクタ画像１０６に対応する表象を備えつつ、そのキャラクタ画像１０６とは形態の異なる画像をいう。本実施例においては、図５及び図６に示すように、複数のキャラクタ画像１０６ａ、１０６ｂ、１０６ｃ、１０６ｄ、１０６ｅの肖像がそれぞれ描きこまれたトランプ様のカードの画像１１０ａ、１１０ｂ、１１０ｃ、１１０ｄ、１１０ｅ（以下、特に区別しない場合には単にカード画像１１０という）が、各キャラクタ画像に対応する記号画像に相当する。
【００４２】
前記画像変化制御手段８８は、好適には、前記演奏評価制御手段８２の判定が肯定されて加点が行われた場合に、前記複数のキャラクタ画像１０６のうち少なくとも１つのキャラクタ画像１０６を、そのキャラクタ画像１０６を記号化したカード画像１１０に変化させる。或いは、前記演奏評価制御手段８２の判定が肯定されて加点が行われた結果、その時点における評価結果としての点数が規定値を超えた場合に、前記複数のキャラクタ画像１０６のうち少なくとも１つのキャラクタ画像１０６を、そのキャラクタ画像１０６を記号化したカード画像１１０に変化させる。好適には、前記複数のキャラクタ画像１０６のうち無作為（ランダム）に選択される何れか１つのキャラクタ画像１０６を、そのキャラクタ画像１０６を記号化したカード画像１１０に変化させる。すなわち、必ずしも先に前記演奏評価画面１００内に表示（登場）させられたキャラクタ画像１０６が優先的に記号化の対象とされなくともよく、最も新しく表示されたキャラクタ画像１０６が記号化の対象とされる場合もあり得る。前記演奏評価制御手段８２が、前記複数のキャラクタ画像１０６それぞれについて、前記音情報が各キャラクタ画像１０６に対応して予め定められた評価基準を満たすか否かを判定する態様においては、評価基準を満たしたと判定されたキャラクタ画像１０６が記号化の対象とされる。
【００４３】
図５は、前記演奏評価画面１００に表示されていた前記キャラクタ画像１０６ａが、前記画像変化制御手段８８によりそのキャラクタ画像１０６ａを記号化したカード画像１１０ａに変化させられた様子を示している。記号表示制御手段９０は、前記画像変化制御手段８８により変化させられた記号画像である前記カード画像１１０を、前記ディスプレイ４４における前記演奏評価画面１００の一部に並べて表示させる。図３〜図６に示すように、前記演奏評価画面１００においては、前記画像変化制御手段８８により記号化された前記カード画像１１０を並べて表示させる記号表示位置１１２が予め定められている。前記記号表示制御手段９０は、好適には、前記画像変化制御手段８８により記号化された前記カード画像１１０を、前記演奏評価画面１００における前記記号表示位置１１２に、例えば左から順に並べて表示させる。前記画像変化制御手段８８及び前記記号表示制御手段９０は、具体的には、前記演奏評価制御手段８２の判定が肯定された場合、前記演奏評価画面１００に表示されていた記号化の対象となる前記キャラクタ画像１０６を消去し、斯かる消去と相前後して前記キャラクタ画像１０６を記号化したカード画像１１０を前記演奏評価画面１００内に表示させる。例えば、図５に示す例においては、前記演奏評価画面１００内に表示されていた前記キャラクタ画像１０６ａを消去すると同時に、前記記号表示位置１１２に前記カード画像１１０ａを表示させる。或いは、前記演奏評価画面１００内に表示されていた前記キャラクタ画像１０６ａを消去すると同時に、そのキャラクタ画像１０６ａが表示されていた位置に前記カード画像１１０ａを表示させ、その後、前記カード画像１１０ａを前記記号表示位置１１２まで移動させるものであってもよい。前記キャラクタ画像１０６ａを消去する際に、そのキャラクタ画像１０６ａが煙に包まれるような映像効果を出力させ、その煙が消去されるのと同時に前記カード画像１１０ａを前記キャラクタ画像１０６ａが表示されていた位置（或いは記号表示位置１１２）に表示させるものであってもよい。
【００４４】
図６は、前記演奏評価制御手段８２による評価の対象となる演奏曲の出力が終了させられた際における演奏評価画面１００を例示する図である。前述のように、前記演奏評価制御手段８２は、評価の対象となる演奏曲の出力が終了させられた際にその演奏曲１曲の演奏を通しての演奏評価を算出する。図６においては、前記演奏評価制御手段８２により算出された前記演奏曲１曲の演奏を通しての演奏評価結果としての点数と、前記画像変化制御手段８８により前記カード画像１１０に変化させられた前記キャラクタ画像１０６の数すなわち前記記号表示制御手段９０により表示された前記カード画像１１０の数とが、前記演奏評価画面１００内に表示されている。
【００４５】
画像再変化制御手段９２は、前記演奏曲の出力が終了させられる際、前記演奏評価画面１００における前記記号表示位置１１２に並べて表示された前記カード画像１１０を、前記画像変化制御手段８８による変化前の前記キャラクタ画像１０６に再変化させて前記演奏評価画面１００内に表示させる。好適には、前記演奏評価制御手段８２による評価の対象となる演奏曲の出力が終了させられ、前述した図６に示すように演奏評価結果としての点数等が前記演奏評価画面１００内に表示された後、後述する記念画像撮影手段９４の撮影対象として、前記複数のキャラクタ画像１０６を前記演奏評価画面１００内に再表示させる。具体的には、前記演奏評価画面１００における前記記号表示位置１１２に表示されていた前記カード画像１１０を消去し、斯かる消去と相前後して各カード画像１１０に対応する前記キャラクタ画像１０６を前記演奏評価画面１００内に表示させる。前記カード画像１１０を消去する際に、そのカード画像１１０が煙に包まれるような映像効果を出力させ、その煙が消去されるのと同時に前記キャラクタ画像１０６を前記演奏評価画面１００内に表示させるものであってもよい。前記画像再変化制御手段９２により前記演奏評価画面１００内に再表示されるキャラクタ画像１０６は、好適には、前記画像表示制御手段８６により表示されていたものと同一の画像であるが、必ずしも完全に同一の画像でなくともよく、例えば前記キャラクタ画像１０６の姿勢や表情が変化させられた画像であってもよい。
【００４６】
記念画像撮影制御手段９４は、前記画像再変化制御手段９２により再変化させられた単数又は複数の前記キャラクタ画像１０６と、前記デジタルカメラ７０により撮影される利用者の映像１０２とを、含む記念画像１１４を撮影する。図７は、前記記念画像撮影制御手段９４により撮影される記念画像１１４を例示する図である。この図７に示すように、前記記念画像撮影制御手段９４は、好適には、前記画像再変化制御手段９２により再変化させられた単数又は複数の前記キャラクタ画像１０６を表示し、前記デジタルカメラ７０により撮影される利用者の映像１０２に合成させ、その映像１０２における１コマである静止画（スチル画像）としての記念画像１１４を撮影する。具体的には、斯かる記念画像１１４を所定時間前記ディスプレイ４４に表示させる。すなわち、前記記念画像撮影制御手段９４は、少なくとも前記記念画像１１４を前記ディスプレイ４４に表示させる。好適には、前記通信回線６０を介して前記カラオケ装置１０に接続された所定のサーバにより運営される所謂ソーシャルネットワークサービス（Social Network Service）に、前記記念画像１１４に相当する画像情報をアップロードする。或いは、前記ＬＡＮ６４等を介して前記カラオケ装置１０に接続された図示しないプリンタにより前記記念画像１１４を印刷（プリントアウト）させる。或いは、前記記念画像１１４に相当する画像情報を、前記通信回線６０を介して前記カラオケ装置１０に接続された所定のサーバに記憶させ、その画像情報に対応するＵＲＬにアクセスするための二次元コードを前記ディスプレイ４４に表示させる。斯かる態様においては、利用者が図示しない携帯電話機の撮像装置によりその二次元コードを撮影することで、その携帯電話機により前記記念画像１１４に対応するＵＲＬへのアクセスが行われ、前記携帯電話機によりその記念画像１１４が閲覧可能となる。
【００４７】
前記記念画像撮影制御手段９４は、好適には、前記演奏曲の出力中に前記画像変化制御手段８８により前記カード画像１１０に変化させられた前記キャラクタ画像１０６の数（すなわち記号表示制御手段９０により表示されたカード画像１１０の数、以下の説明において同じ）に応じて、前記記念画像１１４の撮影回数を決定する。例えば、前記カード画像１１０に変化させられた前記キャラクタ画像１０６の数と同じ回数、前記記念画像１１４の撮影を可能とする。或いは、前記カード画像１１０に変化させられた前記キャラクタ画像１０６の数が１つから３つの範囲内である場合には１回、４つから６つの範囲内である場合には２回、７つ以上である場合には３回というように、前記カード画像１１０に変化させられた前記キャラクタ画像１０６の数に応じて、前記記念画像１１４の撮影回数を段階的に変化（増加）させる。また好適には、前記カード画像１１０に変化させられた前記キャラクタ画像１０６の数が予め定められた規定数以上であることを条件に、前記記念画像１１４の撮影を行う。すなわち、前記カード画像１１０に変化させられた前記キャラクタ画像１０６の数が前記規定数未満である場合には、前記記念画像１１４の撮影を行わない。換言すれば、前記カード画像１１０を前記規定数以上獲得してはじめて、前記記念画像１１４の撮影を行う権利を得ることができる。
【００４８】
前記記念画像撮影制御手段９４は、好適には、前記演奏曲の出力中に前記画像変化制御手段８８により前記カード画像１１０に変化させられた前記キャラクタ画像１０６の数に応じて、前記記念画像１１４におけるフレーム１１６を変化させる。このフレーム１１６とは、前記記念画像１１４の枠（額縁）に相当する画像部分であり、図７においてはデフォルトのフレーム１１６を例示している。前記記念画像撮影制御手段９４は、好適には、前記カード画像１１０に変化させられた前記キャラクタ画像１０６の数に応じて、前記フレーム１１６を他のフレームに変化させる。例えば、図７に示すフレーム１１６を、より豪華な印象を与えるフレームに変化させ、そのフレームを適用して前記記念画像１１４を撮影する。或いは、利用者により前記記念画像１１４のフレームを選択可能としてもよい。前記カード画像１１０に変化させられた前記キャラクタ画像１０６の数に応じて、選択可能なフレームの種類を増加させるものであってもよい。
【００４９】
前記記念画像撮影制御手段９４は、好適には、前記演奏曲の出力中に前記画像変化制御手段８８により前記カード画像１１０に変化させられた前記キャラクタ画像１０６の数に応じて、前記記念画像１１４に含まれる前記キャラクタ画像１０６を選択可能とする。斯かる態様においては、前記画像再変化制御手段９２により再変化させられた複数の前記キャラクタ画像１０６全てを含む記念画像１１４を撮影できるのではなく、前記複数のキャラクタ画像１０６のうち何れかのキャラクタ画像１０６を含む記念画像１１４を撮影できる。前記記念画像撮影制御手段９４は、前記カード画像１１０に変化させられた前記キャラクタ画像１０６の数に応じて、前記記念画像１１４に含まれるキャラクタ画像１０６の数を変化させる。例えば、前記カード画像１１０に変化させられた前記キャラクタ画像１０６の数が１つから３つの範囲内である場合には何れか１つのキャラクタ画像１０６、４つから６つの範囲内である場合には何れか２つのキャラクタ画像１０６、７つ以上である場合には何れか３つのキャラクタ画像１０６というように、前記カード画像１１０に変化させられた前記キャラクタ画像１０６の数に応じて、前記記念画像１１４に含まれるキャラクタ画像１０６として選択可能なキャラクタ画像１０６の数を段階的に変化（増加）させる。或いは、前記カード画像１１０に変化させられた前記キャラクタ画像１０６の数が１つから３つの範囲内である場合には前記キャラクタ画像１０６ａのみ、４つから６つの範囲内である場合には前記キャラクタ画像１０６ａ、１０６ｂ、１０６ｃの何れか、７つ以上である場合には再変化させられた全てのキャラクタ画像１０６というように、前記カード画像１１０に変化させられた前記キャラクタ画像１０６の数に応じて、前記記念画像１１４に含まれるキャラクタ画像１０６として選択可能なキャラクタ画像１０６の種類を変化させる。
【００５０】
前記記念画像撮影制御手段９４は、好適には、前記演奏曲の出力中に前記画像変化制御手段８８により前記カード画像１１０に変化させられた前記キャラクタ画像１０６の数に応じて、前記記念画像１１４に含まれる前記キャラクタ画像１０６を変化させる。例えば、前記画像再変化制御手段９２により再変化させられた複数の前記キャラクタ画像１０６のうち、２つ以上のキャラクタ画像１０６を合体させて他のキャラクタ画像１０６に変化させる。図８は、前記キャラクタ画像１０６ｂと前記キャラクタ画像１０６ｄとが合体させられ、キャラクタ画像１０６ｆに変化させられた様子を示している。好適には、前記画像データベース７６に記憶された複数のキャラクタ画像情報に対応して、２つ以上のキャラクタ画像を合体させた場合に表示されるキャラクタ画像が予め定められて記憶されている。この合体後のキャラクタ画像は、好適には、前記演奏評価制御８２による演奏評価中は前記演奏評価画面１００に表示されず、前記記念画像１１４の撮影対象としてのみ表示される。前記記念画像撮影制御手段９４は、好適には、前記カード画像１１０に変化させられた前記キャラクタ画像１０６の数が規定値以上である場合には、前記画像再変化制御手段９２により再変化させられた複数の前記キャラクタ画像１０６のうち、２つ以上のキャラクタ画像１０６を合体させて他のキャラクタ画像１０６に変化させる。具体的には、合体の対象となる複数のキャラクタ画像１０６を消去し、斯かる消去と相前後して合体後のキャラクタ画像に対応するキャラクタ画像情報を前記画像データベース７６から読み出して、そのキャラクタ画像情報に対応するキャラクタ画像１０６を前記記念画像１１４に含まれる対象として前記ディスプレイ４４に表示させる。或いは、合体の対象となる複数のキャラクタ画像１０６それぞれに対応する記号画像である前記カード画像１１０を合体させ、合体後のカード画像１１０に対応するキャラクタ画像すなわち前記合体後のキャラクタ画像を前記記念画像１１４に含まれる対象として前記ディスプレイ４４に表示させるものであってもよい。斯かる態様において、前記画像再変化制御手段９２は、前記合体の対象となる複数のキャラクタ画像１０６にそれぞれ対応する前記カード画像１１０については、必ずしも前記キャラクタ画像１０６に再変化させなくともよい。前記画像再変化制御手段９２により再変化させられた複数の前記キャラクタ画像１０６のうち、合体させるキャラクタ画像１０６を利用者により選択可能としてもよい。前記カード画像１１０に変化させられた前記キャラクタ画像１０６の数に応じて、合体対象として選択可能なキャラクタ画像１０６の組み合わせの種類を変化させるものであってもよい。
【００５１】
図９は、前記カラオケ装置１０のＣＰＵ１２による本実施例の演奏評価制御の一例の要部を説明するフローチャートであり、所定の周期で繰り返し実行されるものである。
【００５２】
先ず、ステップ（以下、ステップを省略する）Ｓ１において、前記楽曲データベース７４から読み出された楽曲情報に基づいて演奏曲の出力が行われるのと併行して、前記デジタルカメラ７０により撮影された利用者の映像１０２が、前記映像処理部２０等を介して前記ディスプレイ４４に表示される。次に、Ｓ２において、演奏進行に応じて例えば所定時間毎に前記画像データベース７６からキャラクタ画像情報が読み出され、そのキャラクタ画像情報に対応するキャラクタ画像１０６が生成される。生成されたキャラクタ画像１０６が、前記映像処理部２０等を介して前記利用者の映像１０２に合成され、前記ディスプレイ４４に表示される。次に、Ｓ３において、前記マイクロフォン４８から入力される音情報から特徴データが抽出される。例えば、斯かる音情報に対応する音量及び音程等が抽出される。次に、Ｓ４において、Ｓ３にて抽出された特徴データが、所定の評価基準を満たすか否かが判断される。例えば、Ｓ３にて抽出された音情報に対応する音量が規定値以上であるか否かが判断される。或いは、Ｓ３にて抽出された音情報に対応する音量が規定値以上であり且つその音情報に対応する音程が前記演奏曲の音程と適合するか否かが判断される。このＳ４の判断が否定される場合には、Ｓ７以下の処理が実行されるが、Ｓ４の判断が肯定される場合には、Ｓ５において、演奏評価に係る加点が行われ、前記ディスプレイ４４に表示されている前記キャラクタ画像１０６のうち少なくとも１つのキャラクタ画像１０６が記号化されて前記カード画像１１０に変化させられる。次に、Ｓ６において、Ｓ５にて変化させられた前記カード画像１１０が、前記演奏評価画面１００における記号表示位置１１２に並べて表示させられる。次に、Ｓ７において、前記楽曲情報に基づく演奏曲の出力が終了させられるか否かが判断される。このＳ７の判断が否定される場合には、Ｓ１以下の処理が再び実行させられるが、Ｓ７の判断が肯定される場合には、Ｓ８において、前記演奏評価画面１００における記号表示位置１１２に表示された前記カード画像１１０が前記キャラクタ画像１０６に再変化させられ、前記ディスプレイ４４に表示される。次に、Ｓ９において、前記デジタルカメラ７０により撮影された利用者の映像１０２に、Ｓ８にて再変化させられた前記キャラクタ画像１０６を合成させた記念画像１１４が撮影され、例えばその記念画像１１４が前記ディスプレイ４４に表示される。次に、Ｓ１０において、Ｓ５にて記号化された前記カード画像１１０の数だけ前記記念画像１１４の撮影が行われたか否かが判断される。このＳ１０の判断が否定される場合には、Ｓ９以下の処理が再び実行されるが、Ｓ１０の判断が肯定される場合には、それをもって本ルーチンが終了させられる。
【００５３】
以上の制御において、Ｓ３及びＳ４が前記演奏評価制御手段８２の動作に、Ｓ２が前記画像表示制御手段８６の動作に、Ｓ５が前記画像変化制御手段８８の動作に、Ｓ６が前記記号表示制御手段９０の動作に、Ｓ８が前記画像再変化制御手段９２の動作に、Ｓ９及びＳ１０が前記記念撮影制御手段９４の動作に、それぞれ対応する。
【００５４】
本実施例によれば、表示装置である前記ディスプレイ４４の画面内に多様なキャラクタ画像１０６を表示させると共に、カラオケ演奏の評価結果に応じてそのキャラクタ画像１０６を記号化し、画面の一部に並べて表示させることで、あたかもそのキャラクタ画像１０６に対応するキャラクタを獲得したような印象を与えることができ、年少の子供にやる気を持たせることができる。これに加え、演奏終了後に、記号化した画像であるカード画像１１０を再度キャラクタ画像１０６に戻して、それらのキャラクタ画像１０６と一緒に記念画像１１４を撮影することで、あたかも自分が獲得したキャラクタ達と一緒に記念撮影しているかのような印象を与えることができ、子供のやる気を更に掻き立てることができる。すなわち、年少の子供にとって楽しくやりがいのある演奏評価を実現するカラオケ装置１０を提供することができる。
【００５５】
前記記念画像撮影制御手段９４は、前記演奏曲の出力中に前記画像変化制御手段８８により前記カード画像１１０に変化させられた前記キャラクタ画像１０６の数に応じて、前記記念画像１１４の撮影回数を決定するものであるため、例えば獲得したキャラクタが多いほど、多くの回数記念撮影ができるといった印象を与えることができ、子供のやる気を更に掻き立てることができる。
【００５６】
前記記念画像撮影制御手段９４は、前記演奏曲の出力中に前記画像変化制御手段８８により前記カード画像１１０に変化させられた前記キャラクタ画像１０６の数に応じて、前記記念画像１１４におけるフレーム１１６を変化させるものであるため、例えば獲得したキャラクタが多いほど、豪華なフレーム１１６で記念撮影ができるといった印象を与えることができ、子供のやる気を更に掻き立てることができる。
【００５７】
前記記念画像撮影制御手段９４は、前記演奏曲の出力中に前記画像変化制御手段８８により前記カード画像１１０に変化させられた前記キャラクタ画像１０６の数に応じて、前記記念画像１１４に含まれる前記キャラクタ画像１０６を選択可能とするものであるため、例えば獲得したキャラクタが多いほど、自分の好きなキャラクタと一緒に記念撮影ができるといった印象を与えることができ、子供のやる気を更に掻き立てることができる。
【００５８】
前記記念画像撮影制御手段９４は、前記演奏曲の出力中に前記画像変化制御手段８８により前記カード画像１１０に変化させられた前記キャラクタ画像１０６の数に応じて、前記記念画像１１４に含まれる前記キャラクタ画像１０６を変化させるものであるため、例えば獲得したキャラクタが多い場合には、獲得したキャラクタ同士を合体させて別のキャラクタにできるといった印象を与えることができ、子供のやる気を更に掻き立てることができる。
【００５９】
前記演奏評価制御手段８２は、前記評価基準として、音声入力装置である前記マイクロフォン４８から入力される音情報の音量が規定値以上であるか否かを判定するものであるため、大きな声が出せているかどうかを評価基準とすることで、例えば小学生未満の音がうまくとれない年少の子供にも楽しめる演奏評価を実現することができる。
【００６０】
前記演奏評価制御手段８２は、前記評価基準として、前記マイクロフォン４８から入力される音情報の音量が規定値以上であるか否か、及び、前記マイクロフォン４８から入力される音情報に対応する音程が前記演奏曲の音程と適合するか否かを判定するものであるため、大きな声が出せているかどうかに加えて、演奏曲と音程が合っているかどうかを評価基準とすることで、例えば小学生以上の子供にも満足できる演奏評価を実現することができる。
【００６１】
前記複数のキャラクタ画像１０６についてそれぞれ異なる前記評価基準が予め定められたものであり、前記演奏評価制御手段８２は、前記マイクロフォン４８から入力される音情報に基づいて、前記複数のキャラクタ画像１０６それぞれについて、前記音情報が各キャラクタ画像１０６に対応して予め定められた評価基準を満たすか否かを判定するものであるため、前記キャラクタ画像１０６毎に評価基準に変化をつけることで、例えば獲得しやすいキャラクタと獲得が難しいキャラクタとを定めることができ、攻略性を高めて子供のやる気を更に掻き立てることができる。
【００６２】
前記ディスプレイ４４の画面内に多様なキャラクタ画像１０６を表示させると共に、カラオケ演奏の評価結果に応じてそのキャラクタ画像１０６を記号化し、画面の一部に並べて表示させることで、あたかもそのキャラクタ画像１０６に対応するキャラクタを獲得したような印象を与えることができ、年少の子供にやる気を持たせることができる。これに加え、演奏終了後に、記号化したカード画像１１０を再度キャラクタ画像１０６に戻して、それらのキャラクタ画像１０６と一緒に記念画像１１４を撮影することで、あたかも自分が獲得したキャラクタ達と一緒に記念撮影しているかのような印象を与えることができ、子供のやる気を更に掻き立てることができる。すなわち、年少の子供にとって楽しくやりがいのある演奏評価を実現するプログラムを提供することができる。
【００６３】
以上、本発明の好適な実施例を図面に基づいて詳細に説明したが、本発明はこれに限定されるものではなく、更に別の態様においても実施される。
【００６４】
例えば、前述の実施例において、前記画像表示制御手段８６等は、前記演奏評価制御手段８２による演奏評価に係るキャラクタ画像１０６等の画像を前記ディスプレイ４４に表示させるものであったが、本発明はこれに限定されるものではなく、例えば、前記タッチパネルディスプレイ３０における表示装置３２、或いは前記電子早見本装置６８のタッチパネルディスプレイに、前記演奏評価制御手段８２による演奏評価に係るキャラクタ画像１０６等の画像を表示させるものであってもよい。
【００６５】
前述の実施例において、前記画像変化制御手段８８により記号化されたカード画像１１０は、前記画像再変化制御手段９２により前記キャラクタ画像１０６に再変化させられて前記記念画像１１４の撮影対象とされるに留まるものであったが、例えば、前記通信回線６０を介して前記カラオケ装置１６に接続されたサーバに、前記画像変化制御手段８８により記号化されたカード画像１１０を記憶させておき、そのカード画像１１０を選択することで、いつでもそのカード画像１１０を前記キャラクタ画像１０６に再変化させることができる仕様としてもよい。斯かる態様において、好適には、前記サーバに記憶されたカード画像１１０の選択等は、前記カラオケ装置１０のみならず、前記通信回線６０を介して接続された携帯電話機やパーソナルコンピュータ等によっても可能とされる。
【００６６】
前述の実施例において、前記画像変化制御手段８８は、前記キャラクタ画像１０６を、そのキャラクタ画像１０６を記号化した記号画像として、図６等に示すようなトランプ様のカード画像１１０に変化させるものであったが、例えば、前記キャラクタ画像１０６を、各キャラクタ画像１０６の肖像がそれぞれ描きこまれたワッペン、コイン、ボール等に変化させるものであってもよい。更に、各キャラクタ画像１０６に含まれる、そのキャラクタ画像１０６を象徴する特徴的な部分がそれぞれ描きこまれたカード、ワッペン、コイン、ボール等に変化させるものであってもよい。すなわち、前記キャラクタ画像１０６を記号化した記号画像としては種々の態様が考えられ、前記キャラクタ画像１０６の題材となるアニメーション等に応じて適宜好適な態様が選択されて適用される。
【００６７】
前述の実施例においては特に言及していないが、前記キャラクタ画像１０６の表示態様、そのキャラクタ画像１０６の記号化（カード画像１１０への変化）の態様、前記カード画像１１０から前記キャラクタ画像１０６への再変化の態様、及び前記記念画像１１４の撮影に係る表示態様等は、前記実施例において説明した態様とは異なるものであってもよいことは言うまでもない。例えば、前記記念画像１１４の撮影に先立って、前記カード画像１１０を利用者により選択可能とし、利用者により選択されたカード画像１１０のみを前記画像再変化制御手段９２により前記キャラクタ画像１０６に再変化させ、それらキャラクタ画像１０６と前記利用者の映像１０２とを含む記念画像１１４を撮影するものであってもよい。
【００６８】
その他、一々例示はしないが、本発明はその趣旨を逸脱しない範囲内において種々の変更が加えられて実施されるものである。
【符号の説明】
【００６９】
１０：カラオケ装置、４４：ディスプレイ（表示装置）、４８：マイクロフォン（音声入力装置）、７０：デジタルカメラ（撮像装置）、８２：演奏評価制御手段、８６：画像表示制御手段、８８：画像変化制御手段、９０：記号表示制御手段、９２：画像再変化制御手段、９４：記念撮影制御手段、１０２：利用者の映像（利用者の像）、１０６：キャラクタ画像、１１０：カード画像（記号画像）、１１４：記念画像、１１６：フレーム
【図１】
0006276673.tif 000002
【図２】
0006276673.tif 000003
【図３】
0006276673.tif 000004
【図４】
0006276673.tif 000005
【図５】
0006276673.tif 000006
【図６】
0006276673.tif 000007
【図７】
0006276673.tif 000008
【図８】
0006276673.tif 000009
【図９】
0006276673.tif 000010